(57)【要約】  複数の無線ノードのうちの１つである第１の無線ノードが、第１の無線ノードと第２の無線ノードとの間の複数の候補リンクの品質を示す第１情報、及び、候補リンクの混雑度を示す第２情報の少なくとも１つを、候補リンクの何れかを通じて受信する受信部と、受信した第１情報及び第２情報の少なくとも１つに基づいて、複数の候補リンクのうち接続確立する候補リンクを決定する制御部と、を備える。
2020031269.tif 000002
【特許請求の範囲】
【請求項１】
複数の無線ノードのうちの１つである第１の無線ノードあって、
前記第１の無線ノードと第２の無線ノードとの間の複数の候補リンクの品質を示す第１情報、及び、前記候補リンクの混雑度を示す第２情報の少なくとも１つを、前記候補リンクの何れかを通じて受信する受信部と、
受信した前記第１情報及び前記第２情報の少なくとも１つに基づいて、前記複数の候補リンクのうち接続確立する候補リンクを決定する制御部と、
を備える、
無線ノード。
【請求項２】
前記制御部は、受信した前記第１情報及び前記第２情報と、前記第１の無線ノードにおいて測定した結果である前記第１情報及び前記第２情報と、を第３の無線ノードに送信する、
請求項１に記載の無線ノード。
【請求項３】
前記制御部は、受信した前記第１情報及び前記第２情報と、前記第１の無線ノードにおいて測定した結果である前記第１情報及び前記第２情報と、に基づいて、前記候補リンクの決定を行う、
請求項１に記載の無線ノード。
【請求項４】
前記制御部は、受信した前記第１情報及び前記第２情報に基づいて、前記第２の無線ノードにおいて接続確立する候補リンクを決定し、決定した候補リンクの接続確立を制御する、
請求項１に記載の無線ノード。
【請求項５】
複数の無線ノードのうちの１つである第１の無線ノードは、
前記第１の無線ノードと第２の無線ノードとの間の複数の候補リンクの品質を示す第１情報、及び、前記候補リンクの混雑度を示す第２情報の少なくとも１つを、前記候補リンクの何れかを通じて受信し、
受信した前記第１情報及び前記第２情報の少なくとも１つに基づいて、前記複数の候補リンクのうち接続確立する候補リンクを決定する、
無線通信方法。
【発明の詳細な説明】
【技術分野】
【０００１】
本発明は、無線ノード及び無線通信方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、New Radio（ＮＲ）などと呼ばれるシステムがある。【０００３】
将来の無線通信システム（例えば、５Ｇ）に関して、アクセスリンクとbackhaul（ＢＨ）リンクを統合するIntegrated Access and Backhaul（ＩＡＢ）の技術について検討されている（非特許文献１）。ＩＡＢでは、ＩＡＢノードのような無線ノードは、ユーザ端末（User Equipment（ＵＥ））と、無線のアクセスリンクを形成すると共に、他のＩＡＢノードおよび／または無線基地局と無線のバックホールリンクを形成する。
【先行技術文献】
【非特許文献】
【０００４】
【非特許文献１】3GPP TR 38.874 V0.3.2 "3rd Generation Partnership Project; Technical Specification Group Radio Access Network; Study on Integrated Access and Backhaul (Release 15)", 2018年6月
【非特許文献２】"Draft Report of 3GPP TSG RAN WG1 #93 v0.1.0", Busan, South Korea, 21st - 25th May 2018
【非特許文献３】3GPP TS38.213 V15.2.0 "3rd Generation Partnership Project; Technical Specification Group Radio Access Network; NR; Physical layer procedures for control Physical layer procedures for control (Release 15)", 2018年6月
【非特許文献４】3GPP TS38.331 V15.2.1 "3rd Generation Partnership Project; Technical Specification Group Radio Access Network; NR; Radio Resource Control (RRC) protocol specification(Release 15)", 2018年6月
【発明の概要】
【発明が解決しようとする課題】
【０００５】
しかしながら、ＩＡＢノードのような無線ノードが、適切なＢＨリンクを選択するための検討は不十分であり、さらなる検討が求められている。【０００６】
本開示の一態様は、適切なＢＨリンクを選択する無線ノード及び無線通信方法を提供することを目的の１つとする。
【課題を解決するための手段】
【０００７】
本開示の一態様に係る無線ノードは、複数の無線ノードのうちの１つである第１の無線ノードあって、前記第１の無線ノードと第２の無線ノードとの間の複数の候補リンクの品質を示す第１情報、及び、前記候補リンクの混雑度を示す第２情報の少なくとも１つを、前記候補リンクの何れかを通じて受信する受信部と、受信した前記第１情報及び前記第２情報の少なくとも１つに基づいて、前記複数の候補リンクのうち接続確立する候補リンクを決定する制御部と、を備える。
【発明の効果】
【０００８】
本開示によれば、適切なＢＨリンクを選択できる。
【図面の簡単な説明】
【０００９】
【図１】一実施の形態に係る無線通信システムの構成例を示す図である。
【図２】一実施の形態に係るＩＡＢノードの構成例を示す図である。
【図３】一実施の形態に係る無線通信システムにおけるTime Division Multiplex（ＴＤＭ）を説明するための図である。
【図４】一実施の形態に係るＩＡＢノードがリンク接続先を選択する一例を説明するための図である。
【図５】一実施の形態に係るＩＡＢドナーがリンク接続先を選択する一例を説明するための図である。
【図６】一実施の形態に係るＩＡＢドナー、ＩＡＢノード及びユーザ端末のハードウェア構成の例を示す図である。
【発明を実施するための形態】
【００１０】
以下、本開示の実施の形態を、図面を参照して説明する。
【００１１】
＜システム構成＞
図１は、一実施の形態に係る無線通信システムの構成例を示す。
【００１２】
無線通信システム１は、ＩＡＢドナー１０Ａと、ＩＡＢノード１０Ｂ〜１０Ｇと、ユーザ端末の一例であるＵＥ２０とを含む。以下、ＩＡＢノード１０Ｂ〜１０Ｇを区別しないで説明する場合には、「ＩＡＢノード１０」のように参照符号のうち共通番号のみを使用することがある。また、「ＩＡＢノード１０」の表現には、ＩＡＢドナー１０Ａも含まれてよい。
【００１３】
ＩＡＢドナー１０Ａは、無線ノードの一例であり、有線ケーブル（例えば光ファイバーケーブル）を介してCore Network（ＣＮ）３に接続されている。なお、ＩＡＢドナー１０Ａは、無線通信によってＣＮ３に接続されてもよい。なお、「ドナー」という表現は一例であり、例えば、コア、ルート、端点又はノード等と呼ばれてもよい。
【００１４】
ＩＡＢノード１０Ｂ〜１０Ｇは、無線ノードの一例であり、無線通信によって、他のＩＡＢノード１０（又はＩＡＢドナー１０Ａ）に接続される。図１の例の場合、ＩＡＢドナー１０Ａに、ＩＡＢノード１０Ｂ、１０Ｅが接続されている。また、ＩＡＢノード１０Ｂに、ＩＡＢノード１０Ｃが接続されている。また、ＩＡＢノード１０Ｃに、ＩＡＢノード１０Ｄが接続されている。また、ＩＡＢノード１０Ｅに、ＩＡＢノード１０Ｆが接続されている。以下、或るＩＡＢノード１０から見て、リンクの繋がりにおいてＩＡＢドナー１０Ａに近い（上流の）ＩＡＢノード１０を、上位ＩＡＢノードと呼ぶ。なお、上位ＩＡＢノードは、ＩＡＢドナー１０Ａであってもよい。また、或るＩＡＢノード１０から見て、リンクの繋がりにおいてＩＡＢドナー１０から遠い（下流の）ＩＡＢノードを、下位ＩＡＢノードと呼ぶ。
【００１５】
ＩＡＢドナー１０Ａ及びＩＡＢノード１０Ｂ〜１０Ｇは、それぞれ、無線通信可能なエリアであるセルを形成する。すなわち、ＩＡＢノード１０は、基地局としての機能を有する。セル内のＵＥ２０は、当該セルを形成しているＩＡＢノード１０に無線接続できる。
【００１６】
図２は、ＩＡＢノード１０の構成例を示す。
【００１７】
図２に示すように、ＩＡＢノード１０は、制御部１００と、記憶部１０２と、ＵＥ向け無線通信部１０３と、ＢＨ向け無線通信部１０４と、を有する。
【００１８】
ＵＥ向け無線通信部１０３は、ＵＥ２０との間の無線通信を処理する。
【００１９】
ＢＨ向け無線通信部１０４は、他のＩＡＢノード１０との間の無線通信を処理する。
【００２０】
制御部１００は、ＵＥ向け無線通信部１０３の無線通信を制御する。また、制御部１００は、ＢＨ向け無線通信部１０４の無線通信を制御する。なお、制御部１００の動作の詳細については後述する。
【００２１】
記憶部１０２は、制御部１００の動作に使用される各種情報を格納する。
【００２２】
なお、図示しないが、ＩＡＢドナー１０Ａは、図２に示す構成要素に加えて、ＣＮ３との間の通信を処理するＣＮ向け通信部をさらに備えてよい。
【００２３】
＜検討＞
ＩＡＢに係る無線通信システムでは、次の（Ａ１）及び（Ａ２）が考慮される。
【００２４】
（Ａ１）所与のＩＡＢノード１０には半二重通信の制約があるため、アクセスＵＥによるセル探索（cell detection）及び測定（measurement）と、当該ＩＡＢノード１０による（初期アクセス後の）候補ＢＨリンクの探索及び測定とは、異なる（直交する）時間リソースにて行われる。候補ＢＨリンクは、例えば、当該ＩＡＢノード１０がＢＨリンクを確立する候補となるＢＨリンクを示す。当該ＩＡＢノード１０による候補ＢＨリンクの探索及び測定は、当該ＩＡＢノード１０の周辺のＩＡＢノード及び／又はＩＡＢドナーの検出測定と捉えてよい。
【００２５】
（Ａ２）ＩＡＢノードによる候補ＢＨリンクの探索及び測定は、以下を考慮する。
・Synchronization Signal Block（ＳＳＢ）のＴＤＭ（例えば、depending on hop order, cell IDなど）
・複数のＩＡＢノードを跨ぐＳＳＢ muting
・１つの半フレーム内又は複数の半フレームを跨がる時間領域内において、アクセスＵＥのＳＳＢとＩＡＢのＳＳＢとの多重化
・ＳＳＢとＴＤＭされたアディショナルＩＡＢノード発見信号ＴＤＭ（例えばChannel state information reference signal（ＣＳＩ−ＲＳ））
・off-raster ＳＳＢの使用。すなわち、ＵＥが探索しない周波数の使用。
・アクセスＵＥによって使用される周期性と比較したときの送信周期性の違い。
【００２６】
上記（Ａ１）に示すように、所与のＩＡＢノードには半二重通信の制約があるため、次のことを検討する。
・ＩＡＢでは、In-band backhaulとout-of-band backhaulが検討の対象となっている。In-band backhaulは、アクセスリンクと同じ周波数キャリアを使用するＢＨリンクであり、out-of-band backhaulは、アクセスリンクと異なる周波数キャリアを使用するＢＨリンクである。
・In-band backhaulでは、アクセスリンクとＢＨリンクとで同じ周波数キャリアが使用される。そのため、ＩＡＢノード１０は、ＢＨリンクにおいて信号を受信しながらアクセスリンクにおいて信号を送信すること、及び、ＢＨリンクにおいて信号を送信しながらアクセスリンクにおいて信号を受信することができない。
【００２７】
また、上記（Ａ１）に示すように、アクセスＵＥによって使用されるリソースとは、時間にて直交しているリソースであるため、次のことを検討する。
・上記の半二重通信の制約を考慮すると、候補ＢＨリンクの探索及び／又は測定（すなわち、周辺のＩＡＢノード及び／又はＩＡＢドナーの検出測定）は、ＵＥ向けにＳＳＢ及び／又はＣＳＩ−ＲＳを送信するリソースでは行えない。当該リソースでは、ＵＥ向けにＳＳＢ及び／又はＣＳＩ−ＲＳを送信中であるためである。
・したがって、ＩＡＢノード間の発見（inter-node discovery）は、ＵＥ向けＳＳＢ及び／又はＣＳＩ−ＲＳの送信とは別の時間リソースにおいて行われる。
【００２８】
図３を参照して、上記の半二重通信の制約に関する一例を説明する。図３は、図１に示す無線通信システムの一部分を示す。半二重通信の制約の場合、図３（Ａ）に示すように、ＩＡＢノード１０Ｇは、時間リソースを、アクセスＵＥ２０に対するＳＳＢ及びＣＳＩ−ＲＳの送信Ｙ１に用いている間、他のＩＡＢノード１０Ｂ、１０Ｃ、１０Ｆとの通信Ｙ２（図３（Ｂ）参照）を行えない。一方、図３（Ｂ）に示すように、ＩＡＢノード１０Ｇは、時間リソースを、他のＩＡＢノード１０Ｂ、１０Ｃ、１０Ｆとの候補ＢＨリンクの探索及び測定に関する通信Ｙ２に用いている間、アクセスＵＥ２０との通信Ｙ１（図３（Ａ）参照）を行えない。
【００２９】
そのために、ＩＡＢノードによる候補ＢＨリンクの探索及び測定では、上記（Ａ２）が考慮されている。
【００３０】
しかしながら、ＩＡＢノード１０Ｇは、他のＩＡＢノード１０Ｂ、１０Ｃ、１０ＦとのＳＳＢ及び／又はＣＳＩ−ＲＳのみでは、適切なＢＨリンクを選択できない可能性がある。例えば、図１及び図３の場合、ＩＡＢノード１０Ｇは、ＩＡＢノード１０Ｂからの受信信号に含まれるＳＳＢ及び／又はＣＳＩ−ＲＳを用いて、リンクＢＧのリンク品質を含むリンクＢＧに関する情報を取得する。同様に、ＩＡＢノード１０Ｇは、ＩＡＢノード１０Ｃからの受信信号に含まれるＳＳＢ及び／又はＣＳＩ−ＲＳを用いて、リンクＣＧのリンク品質を含むリンクＣＧに関する情報を取得する。リンク品質は、例えば、Reference Signal Received Power（ＲＳＲＰ）、Reference Signal Received Quality（ＲＳＲＱ）又はSignal-to-noise and Interference Ratio（ＳＩＮＲ）のうちの少なくとも１つによって表される。
【００３１】
したがって、図１及び図３の場合、ＩＡＢノード１０Ｇは、リンクＣＧ及び／又はリンクＢＧのリンク品質に加え、以下の（Ｂ１）〜（Ｂ３）の少なくとも１つについて考慮して、ＢＨリンクを選択することが好ましい。
（Ｂ１）ＩＡＢノード１０ＧからＩＡＢドナー１０Ａまでのリンク数（ホップ数）。この情報により、例えば、ＩＡＢノード１０Ｇは、例えば、リンク数（又はホップ数）の最も大きいリンクをＢＨリンクに選択することを回避できる。
（Ｂ２）ＩＡＢノード１０ＧからＩＡＢドナー１０Ａまでの総合的な品質。例えば、リンクＡＢとリンクＢＣとリンクＣＧの総合的な品質、及び、リンクＡＢとリンクＢＧの総合的な品質。或いは、ＩＡＢノード１０ＧからＩＡＢドナー１０Ａまでの複数のリンクのうち、最低品質のリンク。この情報により、ＩＡＢノード１０Ｇは、例えば、最低品質のリンクをＢＨリンクに選択することを回避できる。
（Ｂ３）ＩＡＢノード１０ＧからＩＡＢドナー１０Ａまでの総合的な混雑度。例えば、リンクＡＢとリンクＢＣとリンクＣＧの総合的な混雑度、及び、リンクＡＢとリンクＢＧの総合的な混雑度。或いは、ＩＡＢノード１０ＧからＩＡＢドナー１０Ａまでのリンクのうち、最も混雑しているリンクのリソース利用率。この情報により、ＩＡＢノード１０Ｇは、例えば、最も混雑しているリンクをＢＨリンクに選択することを回避できる。
【００３２】
次に、上記（Ｂ１）〜（Ｂ３）に関し、ＩＡＢノード１０Ｇが接続先のＢＨリンクを選択する例と、ＩＡＢドナー１０ＡがＩＡＢノード１０Ｇの接続先のＢＨリンクを選択する例とについて、詳細に説明する。
【００３３】
＜ＩＡＢノード１０Ｇがリンク選択＞
図４を参照して、ＩＡＢノード１０Ｇが、候補ＢＨリンクの中から、接続先のＢＨリンクを選択する例について説明する。なお、以下では、説明をわかりやすくするために、特定の参照符号（１０Ｃ、１０Ｇ）のＩＡＢノードを用いているが、これは一例であり、他の参照符号のＩＡＢノードであってもよい。
【００３４】
ＩＡＢノード１０Ｃは、当該ＩＡＢノード１０ＣからＩＡＢドナー１０Ａまでの間の、リンク数情報、リンク品質情報及びリンク混雑度情報の少なくとも１つを、例えばＩＡＢノード１０Ｄ、１０Ｇへ送信する。以下、リンク数情報、リンク品質情報及びリンク混雑度情報の少なくとも１つを含む情報を、「リンク関連情報」と呼ぶ場合がある。
【００３５】
ＩＡＢノード１０Ｃは、リンク関連情報を、報知情報として周期的に送信してもよい。或いは、ＩＡＢノード１０Ｃは、リンク関連情報を、下位ＩＡＢノード１０Ｇからの要求に基づき、個別（dedicated）に送信してもよい。なお、ＩＡＢノード１０Ｃは、リンク関連情報を、ＵＥ２０からの要求に基づき、個別（dedicated）に送信してもよい。
【００３６】
リンク品質情報は、リンク品質を示す情報である。例えば、ＩＡＢノード１０Ｃが送信するリンク品質情報は、ＩＡＢノード１０Ｃと上位ＩＡＢノード１０Ｂとの間（リンクＢＣ）のリンク品質の測定結果と、上位ＩＡＢノード１０Ｂから受信した、上位ＩＡＢノード間における（リンクＡＢ）リンク品質の測定結果と、を含んでよい。リンク品質の測定結果は、ＲＳＲＰ、ＲＳＲＱ及びＳＩＮＲのうちの少なくとも１つであってよい。ＲＳＲＰ、ＲＳＲＱ及びＳＩＮＲは、上位ＩＡＢノード１０Ｃが送信するＳＳＢ、ＣＳＩ−ＲＳ、及び、ＩＡＢノードの発見信号（inter-node discovery signal）のうちの少なくとも１つに基づいて測定されてよい。上位ＩＡＢノード間におけるリンク品質の測定結果は、例えば、上位ＩＡＢノード１０ＢとＩＡＢドナー１０Ａとの間のリンク品質の測定結果を含んでもよい。
【００３７】
リンク混雑度情報は、ＢＨリンクの混雑度を示す情報である。例えば、ＩＡＢノード１０Ｃが送信するリンク混雑度情報は、ＩＡＢノードが有するＩＡＢノード１０Ｃのリンク混雑度に関する情報と、ＩＡＢノード１０Ｂから受信した、各上位ＩＡＢノード１０Ｂ、１０Ａのリンク混雑度に関する情報とを含んでもよい。リンク混雑度に関する情報は、例えば、リソース利用率、収容している下位ＩＡＢノード数、アクセスＵＥ数及びバッファ量の少なくとも１つを含んでよい。
【００３８】
なお、ＩＡＢノード１０Ｇは、上位ＩＡＢノード１０Ｃ、１０Ｂ、１０Ｆのうちの少なくとも１つから受信したリンク関連情報と、当該ＩＡＢノード１０Ｇによるリンク品質及び／又はリンク混雑度の測定結果とに基づき、接続先のＢＨリンクを選択し、その選択結果を上位ＩＡＢノード１０Ｃに報告してもよい。例えば、ＩＡＢノード１０Ｇは、ＩＡＢドナー１０Ａまでの経路のうち、リンク品質が最も高く、かつ、リンク混雑度が最も小さい経路に接続できるＢＨリンクを、接続先のＢＨリンクに選択する。
【００３９】
以上の構成により、ＩＡＢノード１０Ｇが、接続先のＢＨリンクを適切に選択できるので、通信の効率（例えば周波数利用効率）が向上する。
【００４０】
なお、ＩＡＢノード１０Ｃは、リンク品質に関する情報及びリンク混雑度に関する情報を合わせた（両方の要素を含む）情報、例えば、各リンクの推定平均スループット及び／又は最大遅延の情報を、リンク関連情報として、他のＩＡＢノード１０に通知してもよい。例えば、ＩＡＢノード１０Ｃは、リンク品質及び平均未利用リソース量に基づいて、各リンクのスループットを推定し、リンク関連情報として、他のＩＡＢノードに通知する。ＩＡＢノード１０Ｇは、通知されたこのリンク関連情報に基づいて、そのリンクをＩＡＢドナー１０Ａまでの経路として選択するか否かを決定してよい。
【００４１】
また、ＩＡＢノード１０Ｃは、リンク品質情報、リンク混雑度情報及び／又はこれらを合わせた情報であるリンク関連情報を、仕様にて規定された所定のビット数で量子化された情報として、他のＩＡＢノード１０に通知してもよい。例えば、ＩＡＢノード１０Ｃは、リンクのピークスループット及び／又は総リソースを、他のＩＡＢノード１０に別途通知してもよい。或いは、ＩＡＢノード１０Ｇは、別途通知されるＩＡＢノードの設定情報等から、リンク品質及びリンク混雑度を、暗黙的（implicit）に認識してもよい。また、所定のビット数で量子化された情報は、ピークスループット及び／又は総リソース量等で正規化された情報であってもよい。
【００４２】
また、ＩＡＢノード１０Ｃは、リンク品質情報、リンク混雑度情報、及び、それらを合わせた情報のうちの少なくとも１つ（リンク関連情報）を、参照信号の系列、Ｌ１制御情報、Medium Access Control（ＭＡＣ） Control Element（ＣＥ）、Radio Resource Control（ＲＲＣ）シグナリングのうちの少なくとも１つの方法によって、ＩＡＢノード１０Ｇに送信してもよい。Ｌ１制御情報は、レイヤ１にて復調して得られる情報であり、例えば、Downlink control information（ＤＣＩ）及び／又はUplink Control Information（ＵＣＩ）などである。また、ＭＡＣ  ＣＥは、Ｌ２制御情報であってもよい。ＩＡＢノード１０Ｇは、周辺の複数のＩＡＢノード１０Ｂ、１０Ｃ、１０Ｆを対象に、リンク品質の測定、リンク品質情報の取得、及び／又は、リンク混雑度情報の取得を周期的に行ってよい。低レイヤの通知方法を用いる場合、情報量を小さくできるので、処理負荷を軽減できる。一方、高レイヤの通知方法を用いる場合、情報量を大きくできるので、情報を正確に通知できる。
【００４３】
また、ＩＡＢノード１０Ｃは、ＩＡＢドナー１０Ａまでの各リンクのリンク品質情報及び／又はリンク混雑度情報を、それぞれ、他のＩＡＢノード１０に通知してもよい。或いは、ＩＡＢノード１０Ｃは、ＩＡＢドナー１０Ａまでの全リンクのトータルのリンク品質情報及び／又はリンク混雑度情報、例えば最低スループットとなるリンクの情報を、他のＩＡＢノード１０に通知してもよい。また、ＩＡＢノード１０Ｃは、ホップ数、又は遅延に関する情報を、別途、他のＩＡＢノード１０に通知してもよい。
【００４４】
また、ＩＡＢノード１０Ｃは、以下の（Ｂ１）から（Ｂ３）のうちの少なくとも１つの方法によって、リンク関連情報を通知してよい。
（Ｂ１）ＩＡＢノード１０Ｃは、リンク関連情報を、リンク品質測定用参照信号（inter-node discovery signal）と合わせて、他のＩＡＢノード１０に周期的に通知する。当該通知の周期は、リンク品質測定用参照信号の通知の周期と同じであってもよいし、異なってもよい。
（Ｂ２）ＩＡＢノード１０Ｃは、リンク関連情報を、リンク品質測定用参照信号とは別のタイミングで、他のＩＡＢノード１０に周期的に通知する。当該通知の周期は、リンク品質測定用参照信号の通知の周期と同じであってもよいし、異なってもよい。
（Ｂ３）ＩＡＢノード１０Ｃは、特定の条件を満たした場合、又は、リクエストを受信した場合に、他のＩＡＢノード１０にリンク関連情報を通知する。特定の条件を満たした場合とは、例えば、混雑度が所定の閾値よりも高い場合、リンクスループットが所定の閾値よりも低い場合、又は、リンク品質測定用参照信号の測定結果のみでは適切な判断ができない可能性がある場合、などである。
【００４５】
ＩＡＢノード１０Ｇは、以下の（Ｃ１）又は（Ｃ２）のうちの少なくとも１つの方法によって、上位ＩＡＢノード１０Ｃに対して、報告又は通知を行ってよい（図４参照）。
（Ｃ１）ＩＡＢノード１０Ｇは、リンクＣＧ（上位ＩＡＢノード１０Ｃ）を選択し、その選択した上位ＩＡＢノード１０Ｃに対してリンク接続処理を行ってよい。また、ＩＡＢノード１０Ｇは、当該ＩＡＢノード１０Ｇのリンク混雑度に関する情報を、上位ＩＡＢノード１０Ｃへ報告してもよい。
（Ｃ２）ＩＡＢノード１０Ｇは、リンク品質の測定結果及び／又は当該ＩＡＢノードＧのリンク混雑度に関する情報を、仮の上位ノード１０Ｃに報告してよい。そして、上位ＩＡＢノード１０Ｃ（又はＩＡＢドナー１０Ａ）が、ノード間の接続関係を決定して、下位ＩＡＢノード１０Ｇに、その決定結果を通知してよい。このリンク混雑度に関する情報は、例えば、接続している下位ＩＡＢノードの数、アクセスＵＥ数、バッファ量等であってよい。
【００４６】
図４を参照して、具体例を説明する。
【００４７】
ＩＡＢドナー１０Ａは、当該ＩＡＢドナー１０Ａが測定したリンク混雑度を含むリンク混雑度情報を生成し、下位ＩＡＢノード１０Ｂ、１０Ｅへ送信する。
【００４８】
ＩＡＢノード１０Ｂは、上位ＩＡＢドナー１０Ａから受信したリンク混雑度情報と、当該ＩＡＢノード１０Ｂが測定したリンク混雑度とをまとめてリンク混雑度情報を生成し、下位ＩＡＢノード１０Ｃ、１０Ｇへ送信する。また、ＩＡＢノード１０Ｂは、当該ＩＡＢノード１０Ｂが測定したリンクＡＢのリンク品質を含むリンク品質情報を生成し、下位ＩＡＢノード１０Ｃ、１０Ｇへ送信する。ＩＡＢノード１０Ｂが送信するリンク混雑度情報とリンク品質情報とは、リンク関連情報にまとめられて送信されてよい。
【００４９】
ＩＡＢノード１０Ｃは、上位ＩＡＢドナー１０Ｂから受信したリンク混雑度情報と、当該ＩＡＢノード１０Ｃが測定したリンク混雑度とまとめてリンク混雑度情報を生成し、下位ＩＡＢノード１０Ｄ、１０Ｇへ送信する。また、ＩＡＢノード１０Ｃは、上位ＩＡＢノード１０Ｂから受信したリンク品質情報と、当該ＩＡＢノード１０Ｃが測定したリンクＢＣのリンク品質とをまとめてリンク品質情報を生成し、下位ＩＡＢノード１０Ｄ、１０Ｇへ送信する。ＩＡＢノード１０Ｃが送信するリンク混雑度情報とリンク品質情報とは、リンク関連情報にまとめられて送信されてよい。
【００５０】
ＩＡＢノード１０Ｅは、上位ＩＡＢドナー１０Ａから受信したリンク混雑度情報と、当該ＩＡＢノード１０Ｅが測定したリンク混雑度とをまとめてリンク混雑度情報を生成し、下位ＩＡＢノード１０Ｆへ送信する。また、ＩＡＢノード１０Ｅは、当該ＩＡＢノード１０Ｅが測定したリンクＡＥのリンク品質を含むリンク品質情報を生成し、下位ＩＡＢノード１０Ｆへ送信する。ＩＡＢノード１０Ｅが送信するリンク混雑度情報とリンク品質情報とは、リンク関連情報にまとめられて送信されてよい。
【００５１】
ＩＡＢノード１０Ｆは、上位ＩＡＢドナー１０Ｅから受信したリンク混雑度情報と、当該ＩＡＢノード１０Ｆが測定したリンク混雑度とをまとめてリンク混雑度情報を生成し、下位ＩＡＢノード１０Ｇへ送信する。また、ＩＡＢノード１０Ｆは、上位ＩＡＢノード１０Ｅから受信したリンク品質情報と、当該ＩＡＢノード１０Ｆが測定したリンクＥＦのリンク品質とをまとめてリンク品質情報を生成し、下位ＩＡＢノード１０Ｇへ送信する。ＩＡＢノード１０Ｆが送信するリンク混雑度情報とリンク品質情報とは、リンク関連情報にまとめられて送信されてよい。
【００５２】
ＩＡＢノード１０Ｇは、上位ノード１０Ｂから、ＩＡＢドナー１０Ａ及びＩＡＢノード１０Ｂの混雑度を含むリンク混雑度情報と、リンクＡＢのリンク品質を含むリンク品質情報と、を受信する。また、ＩＡＢノード１０Ｇは、上位ノード１０Ｃから、ＩＡＢドナー１０Ａ、ＩＡＢノード１０Ｂ及びＩＡＢノード１０Ｃのリンク混雑度を含むリンク混雑度情報と、リンクＡＢ及びリンクＢＣのリンク品質を含むリンク品質情報と、を受信する。また、ＩＡＢノード１０Ｇは、リンク１０Ｆから、ＩＡＢドナー１０Ａ、ＩＡＢノード１０Ｅ及びＩＡＢノード１０Ｆのリンク混雑度を含むリンク混雑度情報と、リンクＡＥ及びリンクＥＦのリンク品質を含むリンク品質情報と、を受信する。また、ＩＡＢノード１０Ｇは、当該ＩＡＢノード１０Ｇのリンク混雑度を測定する。また、ＩＡＢノード１０Ｇは、リンクＣＧ、リンクＢＧ及びリンクＦＧのリンク品質を測定する。これにより、ＩＡＢノード１０Ｇは、ＩＡＢドナー１０Ａまでの経路におけるリンク混雑度及び／又はリンク品質を考慮して、候補ＢＨリンクに相当するリンクＢＧ、リンクＣＧ及びリンクＦＧの中から、最適な接続先のＢＨリンクを選択できる。
【００５３】
＜ＩＡＢドナー１０Ａがリンク選択＞
図５を参照して、ＩＡＢドナー１０ＡがＩＡＢノード１０Ｇの接続先のＢＨリンクを選択する場合について説明する。なお、以下の説明で用いているＩＡＢノードの参照符号は、説明のために一例であり、他の参照符号であってよい。
【００５４】
ＩＡＢノード１０Ｇは、当該ＩＡＢノード１０Ｇと上位ＩＡＢノード１０Ｃ、１０Ｂ、１０Ｆとの間（つまりリンクＣＧ、リンクＢＧ、及びリンクＦＧ）のリンク品質情報、及びリンク混雑度情報の少なくとも１つを測定し、上位ＩＡＢノード１０Ｃに報告する。
【００５５】
ＩＡＢノード１０Ｇは、上記の測定した情報を、報知情報として周期的に送信してもよい。或いは、ＩＡＢノード１０Ｇは、上記の測定した情報を、上位ＩＡＢノード１０Ｃ（又はＵＥ２０）からの要求に基づき、個別（dedicated）に送信してもよい。
【００５６】
ＩＡＢノード１０Ｃが上位ＩＡＢノード１０Ｂへ送信するリンク品質情報には、当該ＩＡＢノード１０Ｃと上位ＩＡＢノード１０Ｂとの間（リンクＢＣ）のリンク品質の測定結果と、当該ＩＡＢノード１０Ｃが下位ＩＡＢノード１０Ｇから受信した（或いは当該ＩＡＢノード１０Ｃが測定した）、ＩＡＢノード１０Ｃと下位ＩＡＢノード１０Ｇとの間（リンクＣＧ）のリンク品質の測定結果とが含まれてよい。ＩＡＢノード１０Ｃと上位ＩＡＢノード１０Ｂとの間のリンク品質の測定結果は、例えば、上位ＩＡＢノード１０Ｂが送信するＳＳＢ、ＣＳＩ−ＲＳ、及びinter-node discovery Signalの何れかに基づく、ＲＳＲＰ、ＲＳＲＱ及びＳＩＮＲの何れかであってよい。ＲＳＲＰ、ＲＳＲＱ及びＳＩＮＲは、上位ＩＡＢノード１０Ｃが送信するＳＳＢ、ＣＳＩ−ＲＳ、及びＩＡＢノードの発見信号（inter-node discovery Signal）のうちの少なくとも１つに基づいて測定されてよい。
【００５７】
ＩＡＢノード１０Ｃが上位ＩＡＢノード１０Ｂへ送信するリンク混雑度情報には、当該ＩＡＢノード１０Ｃのリンク混雑度に関する情報と、下位ＩＡＢノード１０Ｇから受信した、当該下位ＩＡＢノード１０Ｇのリンク混雑度に関する情報とが含まれてよい。ＩＡＢノードのリンク混雑度に関する情報は、例えば、リソース利用率、収容している下位ノード数、アクセスＵＥ数及びバッファ量のうちの少なくとも１つであってよい。
【００５８】
ＩＡＢドナー１０Ａは、下位ＩＡＢノード１０Ｂ、１０Ｅから受信したリンク品質情報及びリンク混雑度情報に基づき、下位ＩＡＢノード１０ＧにおけるＢＨリンク（例えばリンクＣＧ）を選択して、その選択結果を下位ＩＡＢノード１０Ｇに指示（報告）してもよい。この場合、ＩＡＢノード１０Ｇは、この指示（報告）を受信し、接続先のＢＨリンクＣＧを選択してよい。なお、ＩＡＢノード１０Ｇの接続先のＢＨリンクの選択は、必ずしもＩＡＢドナー１０Ａが行う必要は無く、当該ＩＡＢノード１０Ｇに対する上位ＩＡＢノード１０の何れが行ってもよい。
【００５９】
なお、ＩＡＢノード１０Ｇは、リンク品質情報及び／又はリンク混雑度情報を、仮の上位ＩＡＢノード１０Ｆに報告し、上位ＩＡＢノード（例えばＩＡＢドナー１０Ａ）が、ノード間の接続関係を決定して、下位ＩＡＢノード１０Ｇに、その決定結果を通知してもよい。ＩＡＢノード１０Ｇのリンク混雑度に関する情報は、例えば、接続している下位ＩＡＢノード（図５では無し）及び／又はアクセスＵＥ数、バッファ量等を含んでよい。また、決定結果は、例えば、ＩＡＢノード１０Ｇにとっての上位ＩＡＢノード１０Ｃと下位ＩＡＢノード（図５では無し）と示す情報を含んでよい。この場合、ＩＡＢノード１０Ｇは、この決定結果を受信し、接続先のＢＨリンクを選択してよい。
【００６０】
また、ＩＡＢドナー１０Ａは、リンク品質が最も悪いリンクを示す情報及び／又はリンク混雑度が最も高いリンク（又はＩＡＢノード）を示す情報を、ＩＡＢノード１０Ｇへ通知してもよい。そして、ＩＡＢノード１０Ｇは、リンク品質が最も悪いリンク及び／又はリンク混雑度が最も悪いリンクについては、接続先のＢＨリンクの選択から外してもよい。
【００６１】
上記の構成により、上位ＩＡＢノード（例えばＩＡＢドナー１０Ａ）が下位ＩＡＢノード１０Ｇの適切なＢＨリンクを選択できるので、通信の効率（例えば周波数利用効率）が向上する。
【００６２】
図５を参照して、具体例を説明する。
【００６３】
ＩＡＢノード１０Ｄは、当該ＩＡＢノード１０Ｄが測定したリンク混雑度を含むリンク混雑度情報を、上位ＩＡＢノード１０Ｃへ送信する。また、ＩＡＢノード１０Ｄは、当該ＩＡＢノード１０Ｄが測定したリンクＣＤのリンク品質を含むリンク品質情報を、上位ＩＡＢノード１０Ｃへ送信する。ＩＡＢノード１０Ｄが送信するリンク混雑度情報とリンク品質情報とは、リンク関連情報にまとめられて送信されてよい。
【００６４】
ＩＡＢノード１０Ｃは、下位ＩＡＢノード１０Ｄから受信したリンク混雑度情報と、当該ＩＡＢノード１０Ｃが測定したリンク混雑度とをまとめてリンク混雑度情報を生成し、上位ＩＡＢノード１０Ｂへ送信する。また、ＩＡＢノード１０Ｃは、下位ＩＡＢノード１０Ｄから受信したリンク品質情報と、当該ＩＡＢノード１０Ｃが測定したリンクＢＣのリンク品質とをまとめてリンク品質情報を生成し、上位ＩＡＢノード１０Ｂへ送信する。ＩＡＢノード１０Ｃが送信するリンク混雑度情報とリンク品質情報とは、リンク関連情報にまとめられて送信されてよい。
【００６５】
ＩＡＢノード１０Ｂは、ＩＡＢノード１０Ｃから受信したリンク混雑度情報と、当該ＩＡＢノード１０Ｂが測定したリンク混雑度とをまとめてリンク混雑度情報を生成し、上位ＩＡＢドナー１０Ａへ送信する。また、ＩＡＢノード１０Ｂは、下位ＩＡＢノード１０Ｃから受信したリンク品質情報と、当該ＩＡＢノード１０Ｂが測定したリンクＡＢのリンク品質とをまとめてリンク品質情報を生成し、上位ＩＡＢドナー１０Ａへ送信する。ＩＡＢノード１０Ｂが送信するリンク混雑度情報とリンク品質情報とは、リンク関連情報にまとめられて送信されてよい。
【００６６】
ＩＡＢノード１０Ｇは、当該ＩＡＢノード１０Ｇが測定したリンク混雑度を含むリンク混雑度情報を、仮の上位ＩＡＢノード１０Ｆへ送信する。また、ＩＡＢノード１０Ｇは、当該ＩＡＢノード１０Ｇが測定した、リンクＣＧ、リンクＢＧ及びリンクＦＧのリンク品質を含むリンク品質情報を、仮の上位ＩＡＢノード１０Ｆへ送信する。ＩＡＢノード１０Ｇが送信するリンク混雑度情報とリンク品質情報とは、リンク関連情報にまとめられて送信されてよい。
【００６７】
ＩＡＢノード１０Ｆは、下位ＩＡＢノード１０Ｇから受信したリンク混雑度情報と、当該ＩＡＢノード１０Ｆが測定したリンク混雑度とをまとめてリンク混雑度情報を生成し、上位ＩＡＢノード１０Ｅへ送信する。また、ＩＡＢノード１０Ｆは、下位ＩＡＢノード１０Ｇから受信したリンク品質情報と、当該ＩＡＢノード１０Ｆが測定したリンクＥＦのリンク品質とをまとめてリンク品質情報を生成し、上位ＩＡＢノード１０Ｅへ送信する。ＩＡＢノード１０Ｆが送信するリンク混雑度情報とリンク品質情報とは、リンク関連情報にまとめられて送信されてよい。
【００６８】
ＩＡＢノード１０Ｅは、ＩＡＢノード１０Ｆから受信したリンク混雑度情報と、当該ＩＡＢノード１０Ｅが測定したリンク混雑度とをまとめてリンク混雑度情報を生成し、上位ＩＡＢドナー１０Ａへ送信する。また、ＩＡＢノード１０Ｅは、下位ＩＡＢノード１０Ｆから受信したリンク品質情報と、当該ＩＡＢノード１０Ｅが測定したリンクＡＥのリンク品質とをまとめてリンク品質情報を生成し、上位ＩＡＢドナー１０Ａへ送信する。ＩＡＢノード１０Ｅが送信するリンク混雑度情報とリンク品質情報とは、リンク関連情報に纏められて送信されてよい。
【００６９】
ＩＡＢドナー１０Ａは、下位ＩＡＢノード１０Ｂ、１０Ｅから受信したリンク混雑度情報及び／又はリンク品質情報に基づいて、候補ＢＨリンクに相当するリンクＢＧ、リンクＣＧ及びリンクＦＧの中から、ＩＡＢノード１０Ｇの最適な接続先のＢＨリンクを選択する。そして、ＩＡＢドナー１０Ａは、その選択結果を、ＩＡＢノード１０Ｇへ送信する。ＩＡＢノード１０Ｇは、この選択結果の示すＢＨリンクに接続する。これにより、ＩＡＢドナー１０Ａは、ＩＡＢノード１０Ｇを、最適なＢＨリンクに接続させることができる。
【００７０】
＜変形例＞
なお、上述では、ＩＡＢノード１０と、ＵＥ２０とを区別して説明したが、本実施の形態はこれに限定されない。すなわち、ＩＡＢノード１０とＵＥ２０とは区別されることなく、同等に扱われてよい。例えば、ＵＥ２０が、新規ＩＡＢノード１０の代わりに、既設ＩＡＢノード１０（又はＩＡＢドナー１０Ａ）に接続してよい。つまり、無線ノードは、ＩＡＢノード１０、ＩＡＢドナー１０Ａ、及び、ＵＥ２０の何れであってもよいし、これ以外であってもよい。例えば、無線ノードは、ターミナル、無線局、又は、中継ノードなどと表現されてもよい、
【００７１】
また、上述では、アクセスリンクとバックホールリンクを区別して説明したが、本実施の形態はこれに限定されない。例えば、ＩＡＢノード１０とＵＥ２０との間の無線リンクが、バックホールリンクの一例であってもよい。また、ＩＡＢノード１０の間の無線リンクが、アクセスリンクの一例であってもよい。また、上述のアクセスリンク及び／又はバックホールリンクという表現は、様々な無線リンクの一例である。例えば、上述のアクセスリンク及び／又はバックホールリンクは、サイドリンクなどと表現されてもよい。
【００７２】
＜本開示のまとめ＞
一態様に係る無線ノードは、複数の無線ノードのうちの１つである第１の無線ノードあって、第１の無線ノードと第２の無線ノードとの間の複数の候補リンクの品質を示す第１情報、及び、候補リンクの混雑度を示す第２情報の少なくとも１つを、候補リンクの何れかを通じて受信する受信部と、受信した第１情報及び第２情報の少なくとも１つに基づいて、複数の候補リンクのうち接続確立する候補リンクを決定する制御部と、を備える。
【００７３】
当該構成によれば、候補リンクの品質を示す情報及び候補リンクの混雑度を示す情報の少なくとも１つに基づいて、複数の候補リンクの中から、接続確立する候補リンクを適切に決定できる。
【００７４】
以上、本開示の実施の形態について説明した。
【００７５】
＜ハードウェア構成＞
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００７６】
例えば、本発明の一実施の形態におけるＩＡＢドナー１０Ａ、ＩＡＢノード１０及びＵＥ２０などは、本発明の無線通信方法の処理を行うコンピュータとして機能してもよい。図６は、本発明の一実施の形態に係るＩＡＢドナー１０Ａ、ＩＡＢノード１０及びＵＥ２０のハードウェア構成の一例を示す図である。上述のＩＡＢドナー１０Ａ、ＩＡＢノード１０及びＵＥ２０は、物理的には、プロセッサ１００１、メモリ１００２、ストレージ１００３、通信装置１００４、入力装置１００５、出力装置１００６、バス１００７などを含むコンピュータ装置として構成されてもよい。
【００７７】
なお、以下の説明では、「装置」という文言は、回路、デバイス、ユニットなどに読み替えることができる。ＩＡＢドナー１０Ａ、ＩＡＢノード１０及びＵＥ２０のハードウェア構成は、図に示した各装置を１つ又は複数含むように構成されてもよいし、一部の装置を含まずに構成されてもよい。
【００７８】
ＩＡＢドナー１０Ａ、ＩＡＢノード１０及びＵＥ２０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００７９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述の制御部１００、ＵＥ向け無線通信部１０３、ＢＨ向け無線通信部１０４などは、プロセッサ１００１で実現されてもよい。
【００８０】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、制御部１００は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００８１】
メモリ１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００８２】
ストレージ１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００８３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述のＵＥ向け無線通信部信１０３、ＢＨ向け無線通信部１０４などは、通信装置１００４で実現されてもよい。
【００８４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００８５】
また、プロセッサ１００１やメモリ１００２などの各装置は、情報を通信するためのバス１００７で接続される。バス１００７は、単一のバスで構成されてもよいし、装置間で異なるバスで構成されてもよい。
【００８６】
また、ＩＡＢドナー１０Ａ、ＩＡＢノード１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８７】
＜情報の通知、シグナリング＞
情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００８８】
＜適用システム＞
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８９】
＜処理手順等＞
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９０】
＜基地局の動作＞
本明細書において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００９１】
＜入出力の方向＞
情報等（※「情報、信号」の項目参照）は、上位レイヤ（または下位レイヤ）から下位レイヤ（または上位レイヤ）へ出力され得る。複数のネットワークノードを介して入出力されてもよい。
【００９２】
＜入出力された情報等の扱い＞
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００９３】
＜判定方法＞
判定は、１ビットで表される値（０か１か）によって行われてもよいし、真偽値（Boolean：trueまたはfalse）によって行われてもよいし、数値の比較（例えば、所定の値との比較）によって行われてもよい。
【００９４】
＜態様のバリエーション等＞
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９５】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００９６】
（用語の意味、解釈）
＜ソフトウェア＞
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００９８】
＜情報、信号＞
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９９】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１００】
＜「システム」、「ネットワーク」＞
本明細書で使用する「システム」および「ネットワーク」という用語は、互換的に使用される。
【０１０１】
＜パラメータ、チャネルの名称＞
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１０２】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１０３】
＜基地局＞
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１０４】
＜移動局＞
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１０５】
＜用語の意味、解釈＞
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１０６】
＜「接続された」、「結合された」＞
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１０７】
＜参照信号＞
参照信号は、ＲＳ（Reference Signal）と略称することもでき、適用される標準によってパイロット（Pilot）と呼ばれてもよい。
【０１０８】
＜「に基づいて」の意味＞
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０９】
＜「第１の」、「第２の」＞
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１１０】
＜「手段」＞
上記の各装置の構成における「手段」を、「部」、「回路」、「デバイス」等に置き換えてもよい。
【０１１１】
＜オープン形式＞
「含む（including）」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１１２】
＜ＴＴＩ等の時間単位、無線フレーム構成＞
無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各移動局に無線リソース（各移動局において使用することが可能な周波数帯域幅や送信電力等）を割り当てるスケジューリングを行う。スケジューリングの最小時間単位をＴＴＩ（Transmission Time Interval）と呼んでもよい。例えば、１サブフレームをＴＴＩと呼んでもよいし、複数の連続したサブフレームをＴＴＩと呼んでもよいし、１スロットをＴＴＩと呼んでもよい。リソースブロック（ＲＢ）は、時間領域および周波数領域のリソース割当単位であり、周波数領域では１つまたは複数個の連続した副搬送波（subcarrier）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０１１３】
＜最大送信電力＞
本実施例の中で記載の「最大送信電力」は、送信電力の最大値を意味するが、これのみではなく、例えば、公称最大送信電力(the nominal UE maximum transmit power)、又は、定格最大送信電力(the nominal UE maximum transmit power)であっても良い。
【０１１４】
＜冠詞＞
本開示の全体において、例えば、英語でのa, an, 及びtheのように、翻訳により冠詞が追加された場合、これらの冠詞は、文脈から明らかにそうではないことが示されていなければ、複数のものを含むものとする。
【産業上の利用可能性】
【０１１５】
本開示の一態様は、無線通信システムに有用である。
【符号の説明】
【０１１６】
１  無線通信システム
１０Ａ  ＩＡＢドナー
１０Ｂ、１０Ｃ、１０Ｄ、１０Ｅ、１０Ｆ、１０Ｇ  ＩＡＢノード
２０  ユーザ端末
１００  制御部
１０２  記憶部
１０３  ＵＥ向け無線通信部
１０４  ＢＨ向け無線通信部
【図１】
2020031269.tif 000003
【図２】
2020031269.tif 000004
【図３】
2020031269.tif 000005
【図４】
2020031269.tif 000006
【図５】
2020031269.tif 000007
【図６】
2020031269.tif 000008
【国際調査報告】
2020031269.tif 000009
2020031269.tif 000010
2020031269.tif 000011
2020031269.tif 000012